(57)【特許請求の範囲】
【請求項１】
筐体と、
この筐体に取り付けられる外装部材と、
前記筐体の内部に配置された基板に設けられた複数の電極と、
前記筐体に設けられた貫通孔に挿入され、複数の前記電極を導通させる導電部、および前記外装部材を前記筐体に取り付けた状態における弾性変形による付勢力により前記導電部を前記電極に接触させた導通状態に保持する弾性変形部を有するスイッチ部材と、
前記外装部材が前記筐体から取り外されることで、複数の前記電極の導通状態が解除されることにより、タンパを検知するタンパ検知部と、
を備え、
前記スイッチ部材に、前記貫通孔への水の侵入を阻止する止水部が設けられたことを特徴とする取引端末装置。
【請求項２】
さらに、表示入力パネルを備え、
前記外装部材は、前記表示入力パネルの周縁部を覆う枠パネルであり、
前記スイッチ部材は、前記表示入力パネルの周縁部に設けられた貫通孔と、前記筐体に設けられた前記貫通孔に挿入されることを特徴とする請求項１に記載の取引端末装置。
【請求項３】
前記止水部は、前記貫通孔の外側において水の通路を閉鎖するように設けられたことを特徴とする請求項１または請求項２に記載の取引端末装置。
【請求項４】
前記弾性変形部は、
柱状部と、
この柱状部の周囲に設けられた環状部と、
この環状部の外周に設けられた前記止水部としてのリブと、
を備え、前記柱状部、環状部およびリブが、弾性材料で一体的に形成され、
前記外装部材の取り付け状態において、前記柱状部が、前記外装部材と前記基板との間に挟み込まれ、前記環状部および前記リブが、前記外装部材と前記筐体との間に挟み込まれるようにしたことを特徴とする請求項３に記載の取引端末装置。
【請求項５】
筐体と、
この筐体に配置された表示入力パネルと、
この表示入力パネルの周縁部を覆う枠パネルと、
前記筐体の内部に配置された基板に設けられた複数の電極と、
前記筐体に設けられた貫通孔に挿入され、複数の前記電極を導通させる導電部、および前記枠パネルを前記筐体に取り付けた状態における弾性変形による付勢力により前記導電部を前記電極に接触させた導通状態に保持する弾性変形部を有するスイッチ部材と、
前記枠パネルが前記筐体から取り外されることで、複数の前記電極の導通状態が解除されることにより、タンパを検知するタンパ検知部と、
を備え、
前記スイッチ部材に、前記貫通孔への水の侵入を阻止する止水部が設けられたことを特徴とする情報入力装置。
【発明の詳細な説明】
【技術分野】
【０００１】
本発明は、部材の取り外しによりタンパを検知する取引端末装置および情報入力装置に関するものである。
【背景技術】
【０００２】
クレジットカードやデビットカードなどによるキャッシュレスでの決済に用いられる取引端末装置、いわゆるモバイル決済端末では、暗証番号が入力キーを用いて入力され、また、決済センタやＩＣカードとの間の通信などに用いられる暗号鍵がメモリに保持されている。そこで、取引端末装置に対する攻撃行為、いわゆるタンパを検知して、暗証番号や暗号鍵などの機密情報が盗み取られて不正利用されることを防止する必要がある。
【０００３】
このようなタンパにより機密情報が盗み取られることを防止する、すなわち、耐タンパ性を確保する技術として、従来、機密情報を保持するメモリなどの電子部品が配置されたセキュリティエリアを構成する基板にタンパ検知スイッチを設けて、基板が取り外されてセキュリティエリアが開封されたことをタンパとして検知するようにして、タンパが検知されると、メモリに保持されている機密情報を消去する技術が知られている（特許文献１参照）。
【先行技術文献】
【特許文献】
【０００４】
【特許文献１】特開２０１２−１６９１１９号公報
【発明の概要】
【発明が解決しようとする課題】
【０００５】
さて、取引端末装置には、タッチパネルと液晶表示パネルとを組み合わせた表示入力パネルが設けられており、この表示入力パネルを用いてカード番号や氏名などの機密情報が入力されることから、この表示入力パネルによる入力情報を盗み取る攻撃行為が想定される。そこで、このような表示入力パネルに対する攻撃行為を防止する耐タンパ性が望まれる。そして、携帯されて運用される取引端末装置には、さらに装置の内部への水の浸入を防止する防水性も求められる。
【０００６】
本発明の主な目的は、外装部材が筐体から取り外されたことをタンパとして検知する場合に、携帯性を損なわないよう小型化・軽量化されながら、さらに防水性を確保することができるように構成された取引端末装置および情報入力装置を提供することにある。
【課題を解決するための手段】
【０００７】
本発明の取引端末装置は、筐体と、この筐体に取り付けられる外装部材と、前記筐体の内部に配置された基板に設けられた複数の電極と、前記筐体に設けられた貫通孔に挿入され、複数の前記電極を導通させる導電部、および前記外装部材を前記筐体に取り付けた状態における弾性変形による付勢力により前記導電部を前記電極に接触させた導通状態に保持する弾性変形部を有するスイッチ部材と、前記外装部材が前記筐体から取り外されることで、複数の前記電極の導通状態が解除されることにより、タンパを検知するタンパ検知部と、を備え、前記スイッチ部材に、前記貫通孔への水の侵入を阻止する止水部が設けられた構成とする。
【０００８】
また、本発明の情報入力装置は、筐体と、この筐体に配置された表示入力パネルと、この表示入力パネルの周縁部を覆う枠パネルと、前記筐体の内部に配置された基板に設けられた複数の電極と、前記筐体に設けられた貫通孔に挿入され、複数の前記電極を導通させる導電部、および前記枠パネルを前記筐体に取り付けた状態における弾性変形による付勢力により前記導電部を前記電極に接触させた導通状態に保持する弾性変形部を有するスイッチ部材と、前記枠パネルが前記筐体から取り外されることで、複数の前記電極の導通状態が解除されることにより、タンパを検知するタンパ検知部と、を備え、前記スイッチ部材に、前記貫通孔への水の侵入を阻止する止水部が設けられた構成とする。
【発明の効果】
【０００９】
本発明によれば、スイッチ部材と電極とによりタンパ検知スイッチが構成され、外装部材が筐体から取り外されたことをタンパとして検知することができる。そして、止水部により貫通孔への水の侵入が阻止されるため、貫通孔を通って筐体の内側に水が侵入することを阻止することができる。これにより、外装部材を防水構造で筐体に固定しなくても、防水性を確保することができる。
【図面の簡単な説明】
【００１０】
【図１】本実施形態に係る取引端末装置１の斜視図
【図２】取引端末装置１の背面図
【図３】取引端末装置１の縦断面図
【図４】取引端末装置１の横断面図
【図５】取引端末装置１の要部分解斜視図
【図６】表示入力パネル４の裏側を示す斜視図
【図７】スイッチ部材４１の斜視図
【図８】タンパ検知スイッチ８１によるタンパ検知の概要を説明する説明図
【図９】スイッチ部材４１の周辺を示す取引端末装置１の要部横断面図
【図１０】タンパ検知スイッチの比較例を示す取引端末装置１の要部横断面図
【発明を実施するための形態】
【００１１】
前記課題を解決するためになされた第１の発明は、筐体と、この筐体に取り付けられる外装部材と、前記筐体の内部に配置された基板に設けられた複数の電極と、前記筐体に設けられた貫通孔に挿入され、複数の前記電極を導通させる導電部、および前記外装部材を前記筐体に取り付けた状態における弾性変形による付勢力により前記導電部を前記電極に接触させた導通状態に保持する弾性変形部を有するスイッチ部材と、前記外装部材が前記筐体から取り外されることで、複数の前記電極の導通状態が解除されることにより、タンパを検知するタンパ検知部と、を備え、前記スイッチ部材に、前記貫通孔への水の侵入を阻止する止水部が設けられた構成とする。
【００１２】
これによると、スイッチ部材と電極とによりタンパ検知スイッチが構成され、外装部材が筐体から取り外されたことをタンパとして検知することができる。そして、止水部により貫通孔への水の侵入が阻止されるため、貫通孔を通って筐体の内側に水が侵入することを阻止することができる。これにより、外装部材を防水構造で筐体に固定しなくても、防水性を確保することができる。
【００１３】
また、第２の発明は、さらに、表示入力パネルを備え、前記外装部材は、前記表示入力パネルの周縁部を覆う枠パネルであり、前記スイッチ部材は、前記表示入力パネルの周縁部に設けられた貫通孔と、前記筐体に設けられた前記貫通孔に挿入される構成とする。
【００１４】
これによると、枠パネルが筐体から取り外されたことをタンパとして検知することができる。これにより、表示入力パネルから引き出された配線や端子が、表示入力パネルの周縁部の裏側に配置されている場合に、表示入力パネルに穴を開けて配線や端子にプローブを接触させることで表示入力パネルによる入力情報を盗み取る攻撃行為を防止することができる。
【００１５】
また、第３の発明は、前記止水部は、前記貫通孔の外側において水の通路を閉鎖するように設けられた構成とする。
【００１６】
これによると、貫通孔に挿入されたスイッチ部材の動きが拘束されないため、外装部材を取り外すのに応じてスイッチ部材の導電部が電極から離れる動作を円滑に行わせることができる。このため、枠パネルが取り外されたことを確実に検知することができる。
【００１７】
また、第４の発明は、前記弾性変形部は、柱状部と、この柱状部の周囲に設けられた環状部と、この環状部の外周に設けられた前記止水部としてのリブと、を備え、前記柱状部、環状部およびリブが、弾性材料で一体的に形成され、前記外装部材の取り付け状態において、前記柱状部が、前記外装部材と前記基板との間に挟み込まれ、前記環状部および前記リブが、前記外装部材と前記筐体との間に挟み込まれるようにした構成とする。
【００１８】
これによると、リブが貫通孔の外側において水の通路を閉鎖するため、貫通孔への水の侵入を阻止することができる。また、柱状部、環状部およびリブが弾性材料で一体的に形成されるため、部品点数および製造工数を削減して、製造コストを削減することができ、また、装置の小型化を図ることができる。
【００１９】
また、第５の発明は、筐体と、この筐体に配置された表示入力パネルと、この表示入力パネルの周縁部を覆う枠パネルと、前記筐体の内部に配置された基板に設けられた複数の電極と、前記筐体に設けられた貫通孔に挿入され、複数の前記電極を導通させる導電部、および前記枠パネルを前記筐体に取り付けた状態における弾性変形による付勢力により前記導電部を前記電極に接触させた導通状態に保持する弾性変形部を有するスイッチ部材と、前記枠パネルが前記筐体から取り外されることで、複数の前記電極の導通状態が解除されることにより、タンパを検知するタンパ検知部と、を備え、前記スイッチ部材に、前記貫通孔への水の侵入を阻止する止水部が設けられた構成とする。
【００２０】
これによると、第１の発明と同様に、外装部材が筐体から取り外されたことをタンパとして検知する場合に、外装部材を防水構造で筐体に固定しなくても、防水性を確保することができる。
【００２１】
以下、本発明の実施の形態を、図面を参照しながら説明する。
【００２２】
図１は、本実施形態に係る取引端末装置１の斜視図である。図２は、図１に示した取引端末装置１の背面図である。図３は、図１に示した取引端末装置１の縦断面図である。
【００２３】
図１に示すように、この取引端末装置１は、クレジットカードやデビットカードなどとしての磁気カードＣ１、接触型ＩＣカードＣ２、および非接触型ＩＣカード（図示せず）などを用いてキャッシュレスで決済を行うモバイル決済端末であり、筐体２の前面３に、表示入力パネル４と、キーパッド部５と、が配置されている。
【００２４】
筐体２は、アッパーケース２ａおよびロアーケース２ｂで構成されている。表示入力パネル４は、液晶表示パネルとタッチパネルとを組み合わせた、いわゆるタッチパネルディスプレイである。この表示入力パネル４は、その周縁部を枠パネル７で覆われるように設けられている。キーパッド部５には、複数の操作キー、具体的には電源キーと、テンキーおよびファンクションキーなどの入力キーとが配列されている。また、筐体２の側面部分には、電源プラグおよびメモリカードスロットを覆うカバー６が設けられている。
【００２５】
図２に示すように、筐体２の背面側には、カメラ８と、スピーカ９と、接続端子１０と、が設けられている。カメラ８は、バーコードなどを撮影するものである。スピーカ９は、アラーム音などの音声を出力するものである。接続端子１０は、図示しないクレードルの接続端子に接続されて、充電用の電力を供給するものである。
【００２６】
図３に示すように、この取引端末装置１は、感熱式のプリンタ１２と、磁気カードリーダ１３と、接触型ＩＣカードリーダ１４と、を備えている。プリンタ１２では、記録紙をロール状に巻いたロール紙ＲＰから引き出された記録紙に印字が行われて排紙口１６から排出される。磁気カードリーダ１３は、筐体２に設けられたカードスロット１７に挿入された磁気カードＣ１を読み取るものである（図１参照）。接触型ＩＣカードリーダ１４は、筐体２に設けられたカードスロット１８に挿入された接触型ＩＣカードＣ２を読み取るものである（図１参照）。
【００２７】
また、筐体２の内部には、ＮＦＣアンテナ２１と、通信モジュール２２と、バッテリー２３と、が設けられている。ＮＦＣアンテナ２１は、ＮＦＣ（近距離無線通信）により電子マネー機能を備えた非接触型ＩＣカードなどとの間で通信を行うものである。通信モジュール２２は、決済処理システムのサーバなどとの間で無線通信を行うものである。バッテリー２３は、取引端末装置１の各部に給電するものである。
【００２８】
このように取引端末装置１は、磁気カード、接触型ＩＣカード、非接触型ＩＣカードなどを用いてキャッシュレスで決済が行われ、その決済の内容を記録した控票を印字することができる。このほか、取引端末装置１では、ＩＤカードを用いたユーザ認証、例えば取引端末装置１の使用者を認証する機能を備えたものとしてもよい。
【００２９】
また、筐体２の内部における表示入力パネル４の背面側には、メイン基板３１と、サブ基板３２と、が設けられている。このメイン基板３１およびサブ基板３２には、取引端末装置１１の各部を制御するための各種の電子部品が実装されている。例えば、メイン基板３１には、表示入力パネル４を構成する液晶表示パネルおよびタッチパネルが接続され、それらの制御を行う電子部品が実装されている。
【００３０】
また、筐体２の内部におけるキーパッド部５の背面側には、タッチセンサ基板３４と、セキュリティエリアメイン基板３５と、が配置されており、これらの基板３４，３５と、これらの基板３４，３５の間隔に保持するためのフレーム部材３６とが、磁気カードリーダ１３と接触型ＩＣカードリーダ１４とともに、モジュールケース３７に収容されて、セキュリティモジュール３８を構成している。
【００３１】
タッチセンサ基板３４には、入力キーの操作を検出するタッチセンサが設けられている。セキュリティエリアメイン基板３５には、暗証番号や暗号鍵などの機密情報を記憶するメモリなどが実装される。
【００３２】
タッチセンサ基板３４およびセキュリティエリアメイン基板３５には、導線を波形に配置したタンパ検知用パターンが設けられている。フレーム部材３６には、タンパ検知用パターンが設けられたセキュリティシートが、タッチセンサ基板３４とセキュリティエリアメイン基板３５とで区画された空間の外周部を周回するように貼り付けられている。また、モジュールケース３７の内面の適所にもセキュリティシートが貼り付けられている。これにより、モジュールケース３７に収容された、タッチセンサ基板３４およびセキュリティエリアメイン基板３５に実装されたメモリなどの電子部品や、磁気カードリーダ１３および接触型ＩＣカードリーダ１４が保護され、機密情報を盗み取る攻撃行為に対して耐タンパ性を確保することができる。
【００３３】
タンパ検知用パターンは、セキュリティエリアメイン基板３５に実装されたタンパ検知用のプロセッサ（タンパ検知部）に接続され、このタンパ検知用のプロセッサによりタンパが検知される。
【００３４】
さて、取引端末装置１は、いわゆるシンクライアントとして構成され、主要な処理を決済処理システムのサーバに実施させて、取引端末装置１では、主にユーザインタフェイスおよびカードの読み取りに関する処理が行われ、表示入力パネル４では、サーバから提供される画面情報に基づいて決済画面が表示され、この決済画面でカード番号や氏名などの機密情報を入力させる。このため、表示入力パネル４により入力される機密情報を盗み取る攻撃行為が想定され、表示入力パネル４に関する耐タンパ性を確保する必要がある。そこで、本実施形態では、以下に説明するように、タンパ検知スイッチが設けられている。
【００３５】
次に、図１に示した枠パネル７が筐体２から取り外されたことをタンパとして検知するタンパ検知スイッチについて説明する。本実施形態のタンパ検知スイッチはスイッチ部材と電極とにより構成され、外装部材の一つである枠パネル７が筐体２から取り外されたことをタンパとして検知することができるとともに、筐体２の内側に水が侵入することを阻止することができる。これにより、外装部材を防水構造で筐体に固定しなくても、防水性を確保することができる。
【００３６】
図４は、取引端末装置１の横断面図である。図５は、取引端末装置１の要部分解斜視図である。
【００３７】
図４に示すように、表示入力パネル４は、枠パネル７とアッパーケース２ａとの間に挟み込まれた状態でアッパーケース２ａに固定される。アッパーケース２ａの裏側にはメイン基板３１が配置されており、このメイン基板３１と枠パネル７との間に、枠パネル７が筐体２から取り外されたことをタンパとして検知するタンパ検知スイッチを構成するスイッチ部材４１が挟み込まれている。
【００３８】
図５に示すように、表示入力パネル４には、スイッチ部材４１が挿入される貫通孔４２が形成されている。アッパーケース２ａにも、スイッチ部材４１が挿入される貫通孔４３が形成されている。メイン基板３１には、表示入力パネル４およびアッパーケース２ａの貫通孔４２，４３に対応する位置に複数の電極４４が設けられており、この電極４４に、貫通孔４２，４３に挿入されたスイッチ部材４１を接触させることができる。スイッチ部材４１を、表示入力パネル４およびアッパーケース２ａの貫通孔４２，４３に挿入した上で、枠パネル７をアッパーケース２ａに組み付けることで、スイッチ部材４１が枠パネル７で押さえ付けられた状態で取り付けられる。
【００３９】
枠パネル７は、外周縁に爪部４６を備えており、この爪部４６をアッパーケース２ａの凹部４７に引っかけることで、枠パネル７がアッパーケース２ａに固定される。
【００４０】
以上に示すように、表示入力パネル４の外周部４８（少なくとも入力領域として使用されない領域）を覆う枠パネル７が取り外されたことをタンパとして検知するには、表示入力パネル４を貫通するようにタンパ検知スイッチのスイッチ部材４１を設ける必要がある。しかしながら、組み立て状態で、枠パネル７および表示入力パネル４の間の隙間と、表示入力パネル４およびアッパーケース２ａに設けられた貫通孔４２，４３とを通って水がアッパーケース２ａの内側に侵入することが想定されることから、防水性を確保する必要がある。
【００４１】
このとき、枠パネル７と表示入力パネル４との隙間を防水両面テープで埋めることで、防水性を確保することが考えられるが、このようにすると、枠パネル７をアッパーケース２ａに組み付ける際に、正規の位置に枠パネル７が組み付けられる前に、防水両面テープで枠パネル７とアッパーケース２ａとが固定されてしまう場合があり、組み付けが難しくなる。また、防水両面テープを用いると、リワークにより廃棄部材が発生してしまうため、望ましくない。一方、枠パネル７を防水構造で筐体に固定して、防水性を確保することも可能であるが、この場合、部品点数および製造工数が増加して製造コストが増大するとともに、装置が大型化する。そこで、本実施形態では、防水両面テープを用いずに防水性を確保する構成が採用される。
【００４２】
次に、図１に示した表示入力パネル４について説明する。図６は、表示入力パネル４の裏側を示す斜視図である。
【００４３】
表示入力パネル４は、液晶表示パネル５１と、静電容量式のタッチパネル５２と、液晶表示パネル５１およびタッチパネル５２を支持する表面パネル５３と、を備えている。
【００４４】
表示入力パネル４の裏面側には、液晶表示パネル５１から引き出されたフレキシブル基板５４と、タッチパネル５２から引き出されたフレキシブル基板５５と、液晶表示パネル５１内のバックライトから引き出された給電ケーブル５６と、が配置されている。フレキシブル基板５５には、タッチパネル５２を制御する制御回路５７が実装されている。フレキシブル基板５４には、フレキシブル基板５５が接続されるコネクタ５８と、給電ケーブル５６が接続されるコネクタ５９と、メイン基板３１（図３参照）に接続されるコネクタ６０と、が実装されている。
【００４５】
このような表示入力パネル４では、その外周部４８を覆う枠パネル７を取り外して、表側から表示入力パネル４の表面パネル５３に穴を開けて、タッチパネル５２から引き出されたフレキシブル基板５５の配線や制御回路５７の端子にプローブを接触させることにより、タッチパネル５２による入力情報が盗み取られる可能性がある。そこで、本実施形態では、このような攻撃行為を防止するため、枠パネル７が筐体２から取り外されたことをタンパとして検知するようにしている。
【００４６】
次に、図４に示したスイッチ部材４１について説明する。図７は、スイッチ部材４１の斜視図である。
【００４７】
スイッチ部材４１は、導電材料からなる導電部７１と、ゴム材料（弾性材料）からなる弾性変形部７２と、を有している。
【００４８】
導電部７１は、導電性材料、例えば導電性のゴム材料（導電性弾性材料）により形成される。この導電部７１は、導電性材料を所定形状に成型したり、導電性のシート材料を所定形状に切り抜いたりしたものを弾性変形部７２に貼り付け、あるいは、導電性材料を用いて弾性変形部７２と一体成型するようにしてもよく、また、導電性塗料を塗布することで形成される導電膜としてもよい。
【００４９】
弾性変形部７２は、柱状部７３と、この柱状部７３の周囲に設けられた環状部７４と、この環状部７４の外周に設けられたリブ７５と、を備えており、この柱状部７３、環状部７４およびリブ７５は、ゴム材料（弾性材料）で一体的に形成されている。環状部７４およびリブ７５は、柱状部７３における導電部７１と相反する側の端部に設けられている。環状部７４は、導電部７１側に向けて開いた傘状に形成されている（図９（Ａ）参照）。リブ７５は、本実施形態では導電部７１と相反する側に凸となるように円環状に設けられている。リブ７５は、導電部７１側に凸となるように円環状に設けられてもよい。
【００５０】
次に、図５に示したスイッチ部材４１の導電部７１と電極４４とにより構成されるタンパ検知スイッチ８１によるタンパ検知について説明する。図８は、タンパ検知スイッチ８１によるタンパ検知の概要を説明する説明図である。
【００５１】
本実施形態では、スイッチ部材４１と、メイン基板３１に設けられた複数の電極４４とによりタンパ検知スイッチ８１が構成され、メイン基板３１の電極４４はタンパ検知部８２に電気的に接続されており、タンパ検知部８２において、複数の電極４４にスイッチ部材４１の導電部７１が接触して複数の電極４４が導通する状態と、複数の電極４４から導電部７１が離れて電極４４の導通状態が解除される状態と、を判別することができる。
【００５２】
これにより、枠パネル７が筐体２から取り外されて、複数の電極４４からスイッチ部材４１の導電部７１が離れて電極４４の導通状態が解除されると、タンパ検知部８２において、枠パネル７が筐体２から取り外されたことをタンパとして検知することができる。
【００５３】
タンパ検知部８２は、マイコンにより構成され、このマイコンはセキュリティエリアメイン基板に実装され、セキュリティエリアを開封する攻撃行為に対して保護される。
【００５４】
次に、図７に示したスイッチ部材４１の組み立て状態について説明する。図９は、スイッチ部材４１の周辺を示す取引端末装置１の要部横断面図である。
【００５５】
図９（Ａ）に示すように、組み立て時には、スイッチ部材４１を、表示入力パネル４に設けられた貫通孔４２と、アッパーケース２ａに設けられた貫通孔４３とに挿入した上で、枠パネル７をアッパーケース２ａに組み付ける。図９（Ｂ）に示すように、組み立て状態では、スイッチ部材４１の柱状部７３が、枠パネル７とメイン基板３１との間に挟み込まれ、環状部７４およびリブ７５が、枠パネル７と表示入力パネル４との間に挟み込まれる。
【００５６】
柱状部７３は、図９（Ａ）に示す初期状態で、組み立て状態における枠パネル７とメイン基板３１との間隔より長く形成されており、図９（Ｂ）に示す組み付け状態で枠パネル７とメイン基板３１との間に挟み込まれることで圧縮変形し、この圧縮変形による付勢力により導電部７１が電極４４に接触させた導通状態に保持される。
【００５７】
環状部７４は、図９（Ａ）に示す初期状態で傘状をなしており、図９（Ｂ）に示す組み付け状態で枠パネル７と表示入力パネル４との間に挟み込まれることで平板状に撓む。また、リブ７５も、組み付け状態で枠パネル７と表示入力パネル４との間に挟み込まれることで圧縮変形し、この圧縮変形による付勢力によりリブ７５が枠パネル７および表示入力パネル４に密着することで、止水性を確保することができる。
【００５８】
また、アッパーケース２ａには、スイッチ部材４１を保持する筒状のスイッチ部材保持部９１が設けられており、このスイッチ部材保持部９１により、スイッチ部材４１が挿入される貫通孔４３が長く形成されている。これにより、スイッチ部材４１を安定に保持することができることから、スイッチ部材４１の電極４４との接触／離間動作を円滑に行わせることができる。さらに、スイッチ部材４１が挿入される貫通孔４２及び貫通孔４３の径は、スイッチ部材４１の柱状部７３の径より大きく形成されることが望ましい。
【００５９】
なお、表示入力パネル４は、防水両面テープ９２でアッパーケース２ａに固定されており、表示入力パネル４とアッパーケース２ａとの間を通って水がアッパーケース２ａの内部に侵入することはない。
【００６０】
次に、タンパ検知スイッチの比較例について説明する。図１０は、タンパ検知スイッチの比較例を示す取引端末装置１の要部横断面図である。
【００６１】
図１０（Ａ）に示す例では、スイッチ部材１０１が、導電部７１と弾性変形部１０２とを備え、表示入力パネル４とメイン基板３１との間に挟み込まれている。表示入力パネル４は防水両面テープ９２でアッパーケース２ａに固定されているため、アッパーケース２ａの内部に水が侵入することはない。ところが、表示入力パネル４がアッパーケース２ａから取り外されたことをタンパとして検知するため、枠パネル７を取り外して表示入力パネル４に穴を開けて、表示入力パネル４の裏側の配線や端子にプローブを接触させることで、表示入力パネル４による入力情報を盗み取る攻撃行為が可能となり、耐タンパ性を確保することができない。
【００６２】
図１０（Ｂ）に示す例では、スイッチ部材１０５が、導電部７１と弾性変形部１０６とを備え、枠パネル７とメイン基板３１との間に挟み込まれている。この場合、枠パネル７がアッパーケース２ａから取り外されたことをタンパとして検知することができるため、耐タンパ性を確保することができる。ところが、表示入力パネル４に、スイッチ部材１０５が挿入される貫通孔４２が設けられており、この貫通孔４２を通ってアッパーケース２ａの内側に水が侵入するおそれがあるため、防水性を確保することができない。
【００６３】
図１０（Ｃ）に示す例では、表示入力パネル４の貫通孔４２とスイッチ部材１０５との間にシール部材１０７が取り付けられている。この場合、貫通孔４２を通ってアッパーケース２ａの内側に水が侵入することがシール部材１０７により阻止されるため、防水性を確保することができる。ところが、シール部材１０７によりスイッチ部材１０５の動きが拘束されるため、枠パネル７が取り外されても、即座にスイッチ部材１０５の導電部７１が電極４４から離れずに、タンパを検知することができない場合がある。このため、耐タンパ性が低くなる。
【００６４】
このような比較例に対して、図９に示したように、本実施形態では、スイッチ部材４１のリブ７５が、表示入力パネル４の貫通孔４２の外側において水の通路を閉鎖するように設けられており、特に、表示入力パネル４において貫通孔４２が開口する外側の面を覆うように設けられているため、スイッチ部材４１の動きが拘束されないことから、枠パネル７を取り外すのに応じてスイッチ部材４１の導電部７１が電極４４から離れる動作を円滑に行わせることができる。このため、枠パネル７が取り外されたことを確実に検知することができる。
【００６５】
以上、本発明を特定の実施形態に基づいて説明したが、これらの実施形態はあくまでも例示であって、本発明はこれらの実施形態によって限定されるものではない。また、上記実施形態に示した本発明に係る取引端末装置および情報入力装置の各構成要素は、必ずしも全てが必須ではなく、少なくとも本発明の範囲を逸脱しない限りにおいて適宜取捨選択することが可能である。
【００６６】
例えば、前記の実施形態では、取引端末装置の一例として、磁気カードや接触型ＩＣカードなどを用いてキャッシュレスで決済を行うモバイル決済端末について説明したが、本発明における取引端末装置は、このような決済の用途に限定されるものではない。さらに、取引端末装置のほかに、暗証番号などのＰＩＮ（personal identification number）を入力する専用の装置、いわゆるピンパッドなどの情報入力装置として構成することも可能である。
【００６７】
また、前記の実施形態では、外装部材としての枠パネルの取り外しをタンパとして検知するようにしたが、本発明における外装部材は、このような枠パネルに限定されるものではない。また、外装部材としての枠パネルと筐体との間に挟み込まれる表示入力パネルに貫通孔を設けて、この貫通孔にスイッチ部材を挿入するようにしたが、本発明は、このように外装部材と筐体との間に別部材が挟み込まれる構成に限定されるものではなく、外装部材と筐体との間に挟み込まれる部材がない場合にも適用可能である。
【００６８】
また、前記の実施形態では、スイッチ部材において止水部となる傘状部およびリブを、ゴム材料で柱状部と一体的に形成したが、別々に成形した上で接合するようにしてもよい。
【産業上の利用可能性】
【００６９】
本発明に係る取引端末装置および情報入力装置は、外装部材が筐体から取り外されたことをタンパとして検知する場合に、外装部材を防水構造で筐体に固定しなくても、防水性を確保することができる効果を有し、部材の取り外しによりタンパを検知する取引端末装置および情報入力装置などとして有用である。
【符号の説明】
【００７０】
１  取引端末装置
２  筐体、２ａ  アッパーケース、２ｂ  ロアーケース
３  前面
４  表示入力パネル
５  キーパッド部
７  枠パネル（外装部材）
３１  メイン基板
４１  スイッチ部材
４２，４３  貫通孔
４４  電極
５１  液晶表示パネル
５２  タッチパネル
５３  表面パネル
５４，５５  フレキシブル基板
５７  制御回路
７１  導電部
７２  弾性変形部
７３  柱状部
７４  環状部
７５  リブ
８１  タンパ検知スイッチ
８２  タンパ検知部
９１  スイッチ部材保持部
９２  防水両面テープ
【要約】
【課題】外装部材が筐体から取り外されたことをタンパとして検知する場合に、携帯性を損なわないよう小型化・軽量化されながら、さらに防水性を確保することができるようにする。
【解決手段】筐体２と、この筐体に取り付けられる枠パネル７と、筐体の内部に配置された基板３１に設けられた複数の電極４４と、筐体に設けられた貫通孔４３に挿入され、複数の電極を導通させる導電部７１、および枠パネルを筐体に取り付けた状態における弾性変形による付勢力により導電部を電極に接触させた導通状態に保持する弾性変形部７２を有するスイッチ部材４１と、枠パネルが筐体から取り外されることで、複数の電極の導通状態が解除されることにより、タンパを検知するタンパ検知部と、を備え、スイッチ部材に、貫通孔への水の侵入を阻止する止水部としてのリブ７５が設けられる。
【選択図】図９【図１】
0006052561.tif 000002
【図２】
0006052561.tif 000003
【図３】
0006052561.tif 000004
【図４】
0006052561.tif 000005
【図５】
0006052561.tif 000006
【図６】
0006052561.tif 000007
【図７】
0006052561.tif 000008
【図８】
0006052561.tif 000009
【図９】
0006052561.tif 000010
【図１０】
0006052561.tif 000011